(57)【要約】【課題】洗面所やトイレ等にて使用される手乾燥装置において、電気代が経済的な手乾燥装置を提供することを目的とする。【解決手段】本体内部に設けた送風手段２及び発熱手段３と、前記発熱手段３の下部に設けた送風吹出ノズル４と、前記送風吹出ノズル４の下方に設けた乾燥空間５と、前記乾燥空間５の下方に設けた水受け皿６と、前記乾燥空間５の上方に設けた手検知手段７と、前記水受け皿６の内部に設けた水検知手段８と、前記水受け皿６の最下部に設けた水抜き穴９と、前記水抜き穴９の下部に設けた水受けカップ１０と、前記手検知手段７の信号を受け前記送風手段２及び前記発熱手段３を動作させる制御手段１１を有し、前記水検知手段８が洗った手から落下した水を検知した時以外は前記手検知手段７と前記制御手段１１への電源供給を停止し節電する、経済的な手乾燥装置１が得られる。【選択図】図１
2013013646.tif 000002
【特許請求の範囲】
【請求項１】
本体内部に設けた送風手段及び発熱手段と、前記発熱手段の下部に設けた送風吹出ノズルと、前記送風吹出ノズルの下方に設けた乾燥空間と、前記乾燥空間の下方に設けた水受け皿と、前記乾燥空間の上方に設けた手検知手段と、前記水受け皿の内部に設けた水検知手段と、前記水受け皿の最下部に設けた水抜き穴と、前記水抜き穴の下部に設けた水受けカップと、前記送風手段、前記発熱手段、前記手検知手段を制御する制御手段を有したことを特徴とした手乾燥装置。
【請求項２】
水受け皿の内部に設けた水検知手段を周辺部より高く形成した請求項１に記載の手乾燥装置。
【請求項３】
水受け皿の内部に設けた水検知手段を前記水受け皿の斜面に設けた請求項１から２に記載の手乾燥装置。
【請求項４】
水受け皿の表面に、撥水処理を施した請求項１から３に記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、手が挿入されて、風速の速い温風を吹き出し、手の水滴を飛ばし、その温風の熱で手の水分を蒸発させ、乾燥させるものにおいて、人感センサーにより待機電力の削減を図るものが知られていた。（例えば特許文献１参照）。
【０００３】
以下、その手乾燥装置について図６を参照しながら説明する。
【０００４】
図６に示すように、手乾燥装置１０１は本体内部に設けた送風手段１０２及び発熱手段１０３と、前記発熱手段１０３の下部に設けた送風吹出ノズル１０４と、前記送風吹出ノズル１０４の下方に乾燥空間１０５と、前記乾燥空間１０５の下方に水受け皿１０６と、前記乾燥空間１０５の入口側に手検知手段１０７と、前記手検知手段１０７からの信号により前記送風手段１０２と前記発熱手段１０３を動作させる制御手段１０８を有し、前記手検知手段１０７からの信号により、前記送風手段１０２と前記発熱手段１０３を動作させ、前記送風吹出ノズル１０４より風速の速い温風を吹出し、自動運転する前記手乾燥装置１０１において、本体正面に人感センサー１０９を設け、前記人感センサー１０９の在人信号によって自動運転態勢をとり、前記人感センサー１０９の不在信号により前記手検知手段１０７への給電を断って待機態勢をとり待機電力の削減するものである。
【先行技術文献】
【特許文献】
【０００５】
【特許文献１】特開２００１−２７５８８２号公報（段落番号００１２，図１）
【発明の概要】
【発明が解決しようとする課題】
【０００６】
このような従来の手乾燥装置の方法では、人が前記手乾燥装置が設置されている部屋に入るだけで、自動運転態勢をとるため、人が前記手乾燥装置を使用しない時においても、手検知手段と制御手段では電力が消費され、人感センサーを使用した待機態勢の認識は不十分で、待機電力の削減効果も小さいという課題があった。
【０００７】
本発明は、上記従来の課題を解決するもので、水受け皿の内部に水検知手段を設け、前記水検知手段が水を検知した時に手検知手段と制御手段に通電を開始し、乾燥動作終了後は、前記手検知手段と前記制御手段の通電を停止する構成としたもので、人が手を洗い、手乾燥装置を使用するために、前記手乾燥装置の乾燥空間に濡れた手を挿入し、前記水受け皿に手に付着した水滴が落下し、前記水検知手段が水を検知した時に、前記手検知手段と前記制御手段に通電を開始するとともに通電を保持し、手乾燥動作を可能とし、手乾燥動作が終了し、通電の保持を解除するとともに、手乾燥動作により前記水検知手段が検知した水分は吹き飛ばされて非検知状態となっているので、前記手検知手段と前記制御手段への通電を行わない待機態勢となる待機電力を削減できる経済的な手乾燥装置を提供することを目的としている。
【課題を解決するための手段】
【０００８】
本発明の手乾燥装置は、上記目的を達成するために、本体内部に設けた送風手段及び発熱手段と、前記発熱手段の下部に設けた送風吹出ノズルと、前記送風吹出ノズルの下方に設けた乾燥空間と、前記乾燥空間の下方に設けた水受け皿と、前記乾燥空間の上方に設けた手検知手段と、前記水受け皿の内部に設けた水検知手段と、前記水受け皿の最下部に設けた水抜き穴と、前記水抜き穴の下部に設けた水受けカップと、前記手検知手段からの信号により前記送風手段と前記発熱手段を動作させる制御手段よりなる構成としたものである。
【０００９】
この手段により、前記乾燥空間に濡れた手が挿入され、前記水受け皿に水滴が落下し、前記水検知手段が水を検知した時に、前記手検知手段と前記制御手段への通電を開始するとともに通電を保持し、前記手検知手段が手を検知し、前記手検知手段の信号を受けた前記制御手段が前記送風手段及び前記発熱手段を動作させ、前記送風吹出ノズルから送出される風速の速い温風により、手の水分を前記水受け皿に吹き飛ばすとともに温風の熱で乾燥させ、手の乾燥が終了後、前記手検知手段の信号がなくなると、前記制御手段が前記送風手段及び前記発熱手段を停止させるとともに前記手検知手段と前記制御手段への通電の保持を停止させ、前記水受け皿に吹き飛ばされた水分や前記水検知手段が検知した水分は前記水抜き穴を通り、前記水受けカップに集められ、前記水検知手段は水を検知しない状態になり、前記手検知手段と前記制御手段への通電は停止する経済的な手乾燥装置が得られる。
【００１０】
また、水受け皿の内部に設けた水検知手段を周辺部より高く形成したものである。
【００１１】
この手段により、前記水検知手段の周辺に水が溜まり難くなり、前記水検知手段の検知精度を保つことができる手乾燥装置が得られる。
【００１２】
また、水受け皿の内部に設けた水検知手段を前記水受け皿の斜面の部分に設けたものである。
【００１３】
この手段により、前記水検知手段の周辺の水分は下方に流れ、前記水検知手段の周辺には水が溜まり難くなり、前記水検知手段の検知精度を保つことができる手乾燥装置が得られる。
【００１４】
また、水受け皿の表面に、撥水処理を施したものである。
【００１５】
この手段により、前記水受け皿の表面には、撥水処理により、水滴が付着し難くなり、前記水受け皿の内部にある前記水検知手段の周辺には水が溜まり難くなり、前記水検知手段の検知精度を保つことができる手乾燥装置が得られる。
【発明の効果】
【００１６】
本発明によれば、本体内部に設けた送風手段及び発熱手段と、前記発熱手段の下部に設けた送風吹出ノズルと、前記送風吹出ノズルの下方に設けた乾燥空間と、前記乾燥空間の下方に設けた水受け皿と、前記乾燥空間の上方に設けた手検知手段と、前記水受け皿の内部に設けた水検知手段と、前記水受け皿の最下部に設けた水抜き穴と、前記水抜き穴の下部に設けた水受けカップと、前記手検知手段からの信号により前記送風手段と前記発熱手段を動作させる制御手段を有し、前記乾燥空間に濡れた手が挿入され、前記水受け皿に水滴が落下し、前記水検知手段が水を検知した時に、前記手検知手段と前記制御手段への通電を開始するとともに通電を保持し、前記手検知手段が手を検知し、前記手検知手段の信号を受けた前記制御手段が前記送風手段及び前記発熱手段を動作させ、前記送風吹出ノズルから送出される風速の速い温風により、手の水分を前記水受け皿に吹き飛ばすとともに温風の熱で乾燥させ、手の乾燥が終了後、前記手検知手段の信号がなくなり、前記制御手段が前記送風手段及び前記発熱手段を停止させるとともに前記手検知手段と前記制御手段への通電の保持を停止させ、前記水受け皿に吹き飛ばされた水分や前記水検知手段が検知した水分は前記水抜き穴を通り、前記水受けカップに集められ、前記水検知手段が水を検知しない状態となり、前記手検知手段と前記制御手段への通電を停止する、経済的な手乾燥装置を提供できる。
【図面の簡単な説明】
【００１７】
【図１】本発明の実施の形態１の手乾燥装置の構成を示す概略図
【図２】本発明の実施の形態１の手乾燥装置の構成を示す概略図
【図３】本発明の実施の形態２の手乾燥装置の構成を示す概略図
【図４】本発明の実施の形態３の手乾燥装置の構成を示す概略図
【図５】本発明の実施の形態４の手乾燥装置の構成を示す概略図
【図６】従来の手乾燥装置の構成を示す概略図
【発明を実施するための形態】
【００１８】
本発明の請求項１記載の発明は、本体内部に設けた送風手段及び発熱手段と、前記発熱手段の下部に設けた送風吹出ノズルと、前記送風吹出ノズルの下方に設けた乾燥空間と、前記乾燥空間の下方に設けた水受け皿と、前記乾燥空間の上方に設けた手検知手段と、前記水受け皿の内部に設けた水検知手段と、前記水受け皿の最下部に設けた水抜き穴と、前記水抜き穴の下部に設けた水受けカップと、前記手検知手段からの信号により前記送風手段と前記発熱手段を動作させる制御手段を有し、前記乾燥空間に濡れた手が挿入され、前記水受け皿に水滴が落下し、前記水検知手段が水を検知した時に、前記手検知手段と前記制御手段への通電を開始するとともに通電を保持し、前記手検知手段が手を検知し、前記手検知手段の信号を受けた前記制御手段が前記送風手段及び前記発熱手段を動作させ、前記送風吹出ノズルから送出される風速の速い温風により、手の水分を前記水受け皿に吹き飛ばすとともに温風の熱で乾燥させ、手の乾燥が終了後、前記手検知手段の信号がなくなり、前記制御手段が前記送風手段及び前記発熱手段を停止させるとともに前記手検知手段と前記制御手段への通電の保持を停止させ、前記水受け皿に吹き飛ばされた水分や前記水検知手段が検知した水分は前記水抜き穴を通り、前記水受けカップに集められ、前記水検知手段が水を検知しない状態となり、前記手検知手段と前記制御手段への通電を停止する、経済的な作用を有する。
【００１９】
また、水受け皿の内部に設けた水検知手段を周辺部より高く形成したものであり、前記水検知手段の周辺に水が溜まり難くなり、前記水検知手段の検知精度を保つことができる作用を有する。
【００２０】
また、水受け皿の内部に設けた水検知手段を前記水受け皿の斜面の部分に設けたものであり、前記水検知手段の周辺の水は下方に流れ、前記水検知手段の周辺には水が溜まり難くなり、前記水検知手段の検知精度を保つことができる作用を有する。
【００２１】
また、水受け皿の表面に、撥水処理を施したものであり、前記水受け皿の表面には、前記撥水処理により、水滴が付着し難くなり、前記水受け皿の内部にある前記水検知手段の周辺には水が溜まり難くなり、前記水検知手段の検知精度を保つことができる作用を有する。
【００２２】
以下、本発明の実施の形態について図面を参照しながら説明する。
【００２３】
（実施の形態１）
図１に示すように、手乾燥装置１は本体内部に設けた送風手段２、たとえばブロアーモータ、及び発熱手段３、たとえばＰＴＣヒータと、前記発熱手段３の下部に設けた送風吹出ノズル４と、前記送風吹出ノズル４の下方に設けた乾燥空間５と、前記乾燥空間５の下方に設けた水受け皿６と、前記乾燥空間５の上方に設けた手検知手段７、たとえば測距センサーと、前記水受け皿６の内部に設けた水検知手段８、たとえば図２に示すように結露センサー１２とコンパレータ回路１３からなるものと、前記水受け皿６の最下部に設けた水抜き穴９と、前記水抜き穴９の下部に設けた水受けカップ１０と、前記手検知手段７からの信号により前記送風手段２と前記発熱手段３を動作させる制御手段１１、たとえば図２に示すようにマイコン回路１４、１２Ｖ電源１５、５Ｖ電源１６、５Ｖ電源開閉回路１７、送風手段開閉回路１８、発熱手段開閉回路１９からなるもの、により構成される。
【００２４】
上記構成において、前記乾燥空間５に水に濡れた手が挿入され、前記水受け皿６に水滴が落下し、前記結露センサー１２に水滴がかかり、前記結露センサー１２の抵抗値が大きくなり、前記コンパレータ回路１３が前記結露センサー１２の乾燥時の抵抗値より大きいと判定し、Ｌｏ信号を前記５Ｖ電源開閉回路１７に送り、前記５Ｖ電源開閉回路１７が閉状態になり、前記１２Ｖ電源１５から電源が前記５Ｖ電源１６に供給され、前記５Ｖ電源１６が前記マイコン回路１４と前記手検知手段７に電源を供給し、前記マイコン回路１４と前記手検知手段７が動作状態となるとともに、前記マイコン回路１４は手乾燥動作中に電源の供給が切れないようにＬｏ信号を前記５Ｖ電源開閉回路１７に送り、前記５Ｖ電源１６を供給保持状態とし、前記手検知手段７が手を検知し、前記手検知手段７の信号を受けた前記マイコン回路１４が前記送風手段開閉回路１８及び前記発熱手段開閉回路１９を閉状態にし、前記送風手段２及び前記発熱手段３に交流電源２０を供給し動作させ、前記送風吹出ノズル４から送出される風速の速い温風により、手の水分を前記水受け皿６に吹き飛ばすとともに温風の熱で乾燥させ、手の乾燥が終了後、前記手検知手段７の信号がなくなり、前記マイコン回路１４は前記送風手段開閉回路１８及び前記発熱手段開閉回路１９を開状態にし、前記送風手段２及び前記発熱手段３に交流電源２０の供給を停止し、前記送風手段２及び前記発熱手段３の動作を停止させるとともに、前記マイコン回路１４はＨｉ信号を前記５Ｖ電源開閉回路１７に送り、前記５Ｖ電源１６の供給保持状態を解除し、前記水受け皿６に吹き飛ばされた水分や前記結露センサー１２が検知した水分は前記水抜き穴９を通り、前記水受けカップ１０に集められ、前記結露センサー１２に付着した水分が無くなり、前記結露センサー１２の抵抗値が小さくなり、前記コンパレータ回路１３が前記結露センサー１２の結露時の抵抗値より小さいと判定し、Ｈｉ信号を前記５Ｖ電源開閉回路１７に送り、前記５Ｖ電源開閉回路１７を開状態にし、前記１２Ｖ電源１５から前記５Ｖ電源１６への電源供給を停止することにより、前記５Ｖ電源１６から前記手検知手段７と前記マイコン回路１４への通電を停止し、経済的な状態にすることができる。
【００２５】
なお、本実施の形態１では、送風吹出ノズルが１個の手乾燥装置としているが、送出ノズル部を複数設け、手の両面より送風する手乾燥装置においても同様の作用効果をもたらすことは言うまでもない。
【００２６】
（実施の形態２）
次に、本発明の実施の形態２について図面を参照しながら説明する。なお，実施の形態１と同一のものは同一番号を付し、その詳細な説明を省略する。
【００２７】
図３に示すように、手乾燥装置１は水受け皿６の内部に設けた水検知手段８を周辺部より高く形成したものである。
【００２８】
上記構成において、前記水検知手段８の周辺に水が溜まり難くなり、前記水検知手段８の検知精度を保つことができる。
【００２９】
（実施の形態３）
次に、本発明の実施の形態３について図面を参照しながら説明する。なお、実施の形態１、２と同一のものは同一番号を付し、その詳細な説明を省略する。
【００３０】
図４に示すように、手乾燥装置１は水受け皿６の内部に設けた水検知手段８を前記水受け皿６の斜面の部分に設けたものである。
【００３１】
上記構成において、前記水検知手段８の周辺の水は下方に流れ、前記水検知手段８の周辺には水が溜まり難くなり、前記水検知手段８の検知精度を保つことができる。
【００３２】
（実施の形態４）
次に、本発明の実施の形態４について図面を参照しながら説明する。なお、実施の形態１、２、３と同一のものは同一番号を付し、その詳細な説明を省略する。
【００３３】
図５に示すように、手乾燥装置１は水受け皿６の表面に、撥水処理、たとえば光触媒処理を施したものである。
【００３４】
上記構成において、前記水受け皿６の表面には、撥水処理により、水滴が付着し難くなり、前記水受け皿６の内部にある前記水検知手段８の周辺には水が溜まり難くなり、前記水検知手段８の検知精度を保つことができる。
【産業上の利用可能性】
【００３５】
水滴が付着したものを検知して動作を行う機器の事柄において、経済的な動作を行うことができる。
【符号の説明】
【００３６】
１      手乾燥装置
２      送風手段
３      発熱手段
４      送風吹出ノズル
５      乾燥空間
６      水受け皿
７      手検知手段
８      水検知手段
９      水抜き穴
１０    水受けカップ
１１    制御手段
１２    結露センサー
１３    コンパレータ回路
１４    マイコン回路
１５    １２Ｖ電源
１６    ５Ｖ電源
１７    ５Ｖ電源開閉回路
１８    送風手段開閉回路
１９    発熱手段開閉回路
２０    交流電源
１０１  手乾燥装置
１０２  送風手段
１０３  発熱手段
１０４  送風吹出ノズル
１０５  乾燥空間
１０６  水受け皿
１０７  手検知手段
１０８  制御手段
１０９  人感センサー
【図１】
2013013646.tif 000003
【図２】
2013013646.tif 000004
【図３】
2013013646.tif 000005
【図４】
2013013646.tif 000006
【図５】
2013013646.tif 000007
【図６】
2013013646.tif 000008